(57)【特許請求の範囲】
【請求項１】
互いに対接する左右のブランケット胴と、各ブランケット胴に接触する左右の版胴と、各版胴にインキを供給する左右のインキユニットとからなる両面印刷型のオフセット印刷ユニットを上下方向に複数積み重ねた構成のタワー型オフセット輪転機において、
作業員の手が届く範囲の高さごとに仕切りフレームを設けて高さ方向に複数のステージに分割し、
各ステージに、上記複数の両面印刷型のオフセット印刷ユニットのうちのいくつかのオフセット印刷ユニットの左右のブランケット胴と左右の版胴を支持する固定フレームを各ステージごとに積み重ねるようにして設け、
この各固定フレームの左右方向両側に、上記固定フレームに支持した版胴に対応するインキユニットを支持した左右の移動フレームを、上記各ステージの上下の仕切りフレームに支持して上記固定フレームに対して接離方向で、かつ固定フレームとの間に作業員が入り込み作業可能にした空間ができる範囲にわたって移動可能に設け、
左右の移動フレームを固定フレームに係脱可能に結合したことを特徴とするタワー型オフセット輪転機。
【発明の詳細な説明】
【０００１】
【発明の属する技術分野】
本発明は、上下方向に複数のＢ−Ｂ型のオフセット印刷ユニットを積み重ねた構成のタワー型オフセット輪転機に関するものである。
【０００２】
【従来の技術及び発明が解決しようとする課題】
この種の輪転機を用いての印刷作業において、版交換やブランケットの清掃がやりやすいこと、及び、インキローラのメンテナンス性がよいことは、生産性及び印刷品質を向上する上で重要となる。これらの点を考慮した上記輪転機の従来技術として、インキユニットが版胴から分離でき、版交換やインキローラなどのメンテナンス性を向上させたものが実開平３−２３４３８号公報（第１の従来の技術）に示されているものがある。
【０００３】
しかし、この第１の従来の技術では、１色ごとにインキユニットの着脱作業が必要で、作業員はユニット間を巡回して作業しなければならないため、作業効率が悪いという問題があった。
【０００４】
この問題を解決したものとして、複数の印刷ユニットを上下方向に積み重ね構成し、ブランケット胴と版胴の間で印刷ユニットを鉛直方向に沿って分離し、インキ装置を含む版胴側ユニットを水平方向にスライドするようにしたものが、特表平９−５０９９０５号公報（第２の従来の技術）に示されている。
【０００５】
しかしこの第２の従来の技術では、版胴とブランケット胴の操作とメンテナンスに関しては、作業員がユニット間に入り込んで行うことができて、印刷ユニットを巡回せずにすむが、インキユニットのインキ着けローラなどの操作性については改善されていない。
【０００６】
また、この第２の従来の技術において、各印刷ユニットの版胴径が大きくなったり、積み重ねる印刷ユニットの数が多くなると必然的に高さが高くなり、版胴側ユニットをスライドしてブランケット胴と版胴の間の空間に作業員が入ってメンテナンスを行う場合、上部に手が届かず、踏台を用いて作業しなければならないという不便が生じる。
【０００７】
本発明は上記のことにかんがみなされたもので、タワー型のオフセット輪転機において、版胴側に対してインキユニットを分離移動できるようにして、分離したユニット間に入り込んで作業することにより、上下方向に配置された複数の両面印刷ユニットの版交換やブランケットの洗浄と共に、インキユニットのインキ着けローラのメンテナンスを１度に行うことができて、これらの作業の容易化を図ることができ、また、版胴径が大きくなったり、積み重ねる両面印刷ユニットの数が多くなっても、作業員の手の届く範囲内にて全ての両面印刷ユニットのメンテナンスを行うことができるようにしたタワー型オフセット輪転機を提供することを目的とするものである。
【０００８】
【課題を解決するための手段】
上記目的を達成するために、本発明に係るタワー型オフセット輪転機は、互いに対接する左右のブランケット胴と、各ブランケット胴に接触する左右の版胴と、各版胴にインキを供給する左右のインキユニットとからなる両面印刷型のオフセット印刷ユニットを上下方向に複数積み重ねた構成のタワー型オフセット輪転機において、作業員の手が届く範囲の高さごとに仕切りフレームを設けて高さ方向に複数のステージに分割し、各ステージに、上記複数の両面印刷型のオフセット印刷ユニットのうちのいくつかのオフセット印刷ユニットの左右のブランケット胴と左右の版胴を支持する固定フレームを各ステージごとに積み重ねるようにして設け、この各固定フレームの左右方向両側に、上記固定フレームに支持した版胴に対応するインキユニットを支持した左右の移動フレームを、上記各ステージの上下の仕切りフレームに支持して上記固定フレームに対して接離方向で、かつ固定フレームとの間に作業員が入り込み作業可能にした空間ができる範囲にわたって移動可能に設け、左右の移動フレームを固定フレームに係脱可能に結合した構成になっている。
【０００９】
【作  用】
各ステージにおいて、移動フレームを固定フレームに対して離間方向に移動することにより、左右の各ブランケット胴と左右の各インキユニットとが離間される。そしてこの間に作業員が入り込むことにより、各ステージごとに、印刷ユニットの版交換やブランケットの洗浄と共に、インキユニットのインキ着けローラのメンテナンスを１度に行うことができる。そして上記固定フレームと可動フレームとは結合装置にて結合される。
【００１０】
【発明の実施の形態】
本発明の実施の形態を図面に基づいて説明する。
図中１は多数の例えば８組の両面印刷ユニット２ａ，２ｂ，２ｃ，２ｄ，２ｅ，２ｆ，２ｇ，２ｈを上下方向に配置したタワー型オフセット輪転機である。この各組の両面印刷ユニット２ａ〜２ｈは互いに対接するブランケット胴３ａ，３ｂ、各ブランケット胴３ａ，３ｂに転接する版胴４ａ，４ｂ、各版胴４ａ，４ｂに転接するインキ着けローラ５を含むインキユニット６ａ，６ｂとからなっている。この各両面印刷ユニット２ａ〜２ｈは各対のブランケット胴３ａ，３ｂの対向部が連続紙７の走行経路となっている。
【００１１】
上記した両面印刷ユニット２ａ〜２ｈは上下方向に配置されるため、これの組数に応じて輪転機全体の高さが高くなるので、作業員の手が届く範囲の高さＨになるように上下方向に複数に分割されている。この実施の形態では４組の両面印刷ユニットずつの第１・第２のステージＡ，Ｂに分割されている。
【００１２】
すなわち、９は基台であり、この基台９の左右方向中央部に第１ステージＡの固定フレーム１０ａが立設してあり、また左右方向両側に第１ステージＡの左右の支柱１１ａ，１２ａが立設されている。そしてこの第１ステージＡの固定フレーム１０ａ及び左右の支柱１１ａ，１２ａは基台９の上面から高さＨの位置で仕切られており、この部分に第１ステージＡの左右の仕切りフレーム１３ａ，１４ａが固着されている。
【００１３】
またこの第１ステージＡの左右の仕切りフレーム１３ａ，１４ａの上側に、第１ステージＡの固定フレーム１０ａの上方へ延長される第２ステージＢの固定フレーム１０ｂが立設してあり、またこれの左右方向両側に第２ステージＢの左右の支柱１１ｂ，１２ｂが立設されている。そしてこの第２ステージＢの各フレームは第１ステージＡの仕切りフレーム１３ａ，１４ａの上面から高さＨの位置で仕切られており、この部分に第２ステージＢの左右の仕切りフレーム１３ｂ，１４ｂが固着されている。
【００１４】
上記各ステージＡ，Ｂの固定フレーム１０ａ，１０ｂの両側には左右の移動フレーム１５ａ，１６ａ，１５ｂ，１６ｂが各固定フレーム１０ａ，１０ｂに対して接離方向（左右方向）に移動可能にして基台９と第１ステージＡの仕切りフレーム１３ａ，１４ａの間、及び第１ステージＡと第２ステージＢの各仕切りフレーム１３ａ，１４ａ，１３ｂ，１４ｂの間に支持されている。なおこの各移動フレーム１５ａ，１６ａ，１５ｂ，１６ｂと左右の支柱との間には図１に示すように、作業員が入り込むのに十分な空間があけられていて、各移動フレームはこの空間内において移動されるようになっている。図２は各移動フレーム１５ａ，１６ａ，１５ｂ，１６ｂを固定フレーム１０ａ，１０ｂから離間する方向に移動した状態を示し、この状態では、固定フレーム１０ａ，１０ｂに支持された印刷胴部分とインキユニット６ａ，６ｂの間に作業員が入るための十分な空間ができる。
【００１５】
上記各フレームは前後方向に離間して設けられており、固定フレーム１０ａ，１０ｂに各両面印刷ユニット２ａ〜２ｈの４組ずつのブランケット胴３ａ，３ｂ及び版胴４ａ，４ｂの印刷胴部が支持されている。また、各両面印刷ユニット２ａ〜２ｈのインキユニット６ａ，６ｂは各移動フレーム１５ａ，１６ａ，１５ｂ，１６ｂに支持されている。
【００１６】
この実施の形態では、各ステージＡ，Ｂ毎のスペースに４組ずつの両面印刷ユニットを設置した例を示したが、印刷胴部のブランケット胴３ａ，３ｂ及び版胴４ａ，４ｂの径が大きい場合には、この各ステージＡ，Ｂの高さＨ内に設置することができる組数、例えば２組の両面印刷ユニットを設置する。このとき、この実施の形態のように片面８色を必要とする場合には、第２ステージＢの仕切りフレーム１３ａ，１４ｂの上側に第２ステージＢの構成と略同一の構成にした第３・第４のステージを順次積み上げていく。これは色数が多くなった場合も同じである。
【００１７】
なお、図３において特に図示していないが、第１ステージＡと第２ステージＢとの間の仕切りフレーム１３ａ，１４ａの周囲には、第２ステージＢ内に作業する作業員が乗るための第２ステージ用のステップが設けてあり、このステップには床面から階段がかけられている。これは第３ステージがある場合も同様で、この場合には第２ステージＢと第３ステージの間の仕切りフレームの周囲に第３ステージ用のステップを設け、このステップには床面から直線昇るはしごが、あるいは／及び第２ステージＢから昇る階段がかけられている。なお、作業員がステップに昇る手段としてはエレベータを用いてもよい。
【００１８】
各ステージＡ，Ｂにおける各移動フレーム１５ａ，１６ａ，１５ｂ，１６ｂには手動操作可能にした移動装置１７ａ，１７ｂが設けてある。また各固定フレーム１０ａ，１０ｂの両側と各移動フレーム１５ａ，１６ａ，１５ｂ，１６ｂの対向部には両フレームを係脱可能に結合する結合装置１８ａ，１８ｂが上下部及び前後両側に設けてある。
【００１９】
上記した左右の移動フレーム１５ａ，１６ａ，１５ｂ，１６ｂと移動装置１７ａ，１７ｂ及び結合装置１８ａ，１８ｂは左右対称で実質的に同一構成であるのでその構成を左側のものについて図４から図１１を参照して以下に説明する。
【００２０】
移動フレーム１５ａは前後方向に離間する前後のフレーム材からなり、この両フレーム材の下端の移動方向２個所にリニアガイド１９が設けてあり、このリニアガイド１９が基台９上に設けたリニアガイドレール２０にスライド可能に跨座されている。また移動フレーム１５ａの両フレーム材の上部の内側で、かつ移動方向２個所に上下方向案内ローラ２１が回転軸心を前後方向に向けて設けてあり、またこの各上下方向案内ローラ２１に隣接する位置に、前後方向案内ローラ２２が回転軸心を垂直方向に向けて設けてある。そして上記上下方向案内ローラ２１は仕切りフレーム１３ａに設けた案内レール２３の下面に転接されており、また前後方向案内ローラ２２は仕切フレーム１３ａの内面に転接されており、この両案内ローラ２１，２２により移動フレーム１５ａの上部が上下方向及び前後方向に対してガタが生じることなく案内されるようになっている。
【００２１】
移動装置１７ａは図４、図５に示すようになっていて、移動フレーム１５ａに回転軸２４に固着して設けたピニオン歯車２５と、このピニオン歯車２５に噛合するようにして基台９上に設けたラック２６と、回転軸２４と固定フレーム１０ａ側に支持されたハンドル軸２７に固着したスプロケット２８ａ，２８ｂに巻き掛けたチェン２９と、ハンドル軸２７を回転するハンドル３０とからなっている。そしてハンドル２７にてハンドル軸２７を回転することによりピニオン歯車２５が回転し、このピニオン歯車２５とラック２６との噛合により移動フレーム１５ａが上記リニアガイドレール２０に沿って移動するようになっている。
【００２２】
結合装置１８ａは図９から図１１に示すようになっている。移動フレーム１５ａの内側に結合ピン３１が突設してある。一方この結合ピン３１に対向する位置で、固定フレーム１０ａの内側に、この結合ピン３１に対して近づいたり遠ざかる方向に移動可能にして移動板３２が設けられており、この移動板３２の先端部に上記結合ピン３１に係脱可能に係合するフック３３が回動自在に設けてある。このフック３３には伸縮動することによりこのフック３３を回動するためのエアシリンダ３４の一端が連結されている。エアシリンダ３４の他端は移動板３２側に連結されている。
【００２３】
移動板３２の基端部は、固定フレーム９に回転自在に支持された偏心軸３５の一端側に突設した偏心ピン部３５ａに連結されている。偏心ピン部３５ａは偏心軸３５の回転軸心に対して偏心されていて、偏心軸３５が回転することにより、上記偏心量だけ移動板３２が移動するようになっている。そしてこの偏心軸３５の他端側にも、偏心軸３５の回転中心に対して偏心した位置に偏心ピン部３５ｂが突設してあり、これに油圧シリンダ３６の一端が連結してある。油圧シリンダ３６の他端は固定フレーム９側に連結されており、この油圧シリンダ３６を伸長動作することにより、偏心軸３５が上記移動板３２が結合ピン３１より離れる方向に移動する方向に回転するようになっている。３７は上記偏心軸３５の回転限を決めるストッパである。このストッパ３７は調整可能になっている。
上記偏心軸３５の回転により偏心ピン部３５ａは偏心運動（円孤運動）をする。このため偏心ピン軸３５ａが嵌合する移動板３２の穴３２ａは上記偏心運動を逃げるために上下方向に長穴になっている。
【００２４】
結合装置１８ａにおいて、まずエアシリンダ３４の作動によりフック３３を結合ピン３１に係合し、ついで油圧シリンダ３６を作動して移動板３２を結合ピン３１から遠ざかる方向に移動してフック３３を固定フレーム１０ａ側へ引くことにより、移動フレーム１５ａが固定フレーム１０ａに結合される。
【００２５】
上記構成において、結合装置１８ａ，１８ｂの結合を解除した状態で移動装置１７ａ，１７ｂをハンドル３０を回転することにより左右の移動フレーム１５ａ，１５ｂが図１に示す状態から図２に示すように、空間内にわたって移動して固定フレーム１０ａと移動フレーム１５ａ，１５ｂとの間に空間ができる。従ってこの空間に作業員が入り込むことにより、各両面印刷ユニット２ａ〜２ｈの版胴４ａ，４ｂと、インキ装置６ａ，６ｂのインキ着けローラ５を直接的に操作及びメンテナンスを行うことができる。
【００２６】
移動フレーム１５ａ，１５ｂは、これの下端に設けたリニアガイド１９が基台９に設けたリニアガイドレール２０に沿って移動されることにより、この移動フレーム１５ａ，１５ｂは軽い操作力にて移動される。また、これの下端がリニアガイド１９とリニアガイドレール２０にて前後方向に係合していること、及び移動フレーム１５ａ，１５ｂの上端部が上下方向案内ローラ２１と前後方向案内ローラ２２にて上方と前後方向に支持されることにより、移動フレーム１５ａ，１５ｂは上方と前後方向にガタ付くことなくスムーズに移動される。
【００２７】
移動装置１７ａ，１７ｂはハンドル３０を回転することにより簡単に操作される。なお、この実施の形態における移動装置１７ａ，１７ｂの構成は、ハンドル軸２７を作業員が回転して手動操作する構成を示したが、この移動装置１７ａ，１７ｂの構成は、ハンドル軸２７に、あるいはピニオン歯車２５を固着した回転軸２４に減速付きモータ等の駆動モータを、直接、あるいはベルト等を介して連結し、駆動モータを用いて動力にて移動フレーム１５ａ，１５ｂを移動するようにしてもよい。
【００２８】
結合装置１８ａ，１８ｂは、結合ピン３１にフック３３を引掛ける操作と、このフック３３を固定フレーム側へ引張って結合ピン３１を固定フレーム１０ａ側へ引き寄せる操作が別々の駆動源に行われる。そして固定フレーム１０ａ側へ引き寄せる操作が油圧シリンダ３６と偏心軸３５の回転によって行われることにより極めて大きな力にて引きつけることができ、移動フレーム１５ａ，１５ｂを固定フレーム１０ａ側へ強固に結合される。
【００２９】
【発明の効果】
本発明に係る構成によれば、タワー型のオフセット輪転機において、各両面印刷型のオフセット印刷ユニットの版胴とインキユニットのインキ着けローラの間に作業員が入るための空間をあけて分離できるようにしたことにより、作業員が上記空間内に入り込んで作業することにより、上下方向に配置された複数の両面印刷ユニットの版交換やブランケット胴の洗浄と共に、インキユニットのインキ着けローラのメンテナンスを１度に行うことができる。
【００３０】
そして特に本発明によれば、上下方向に複数積み重ねた各両面印刷型のオフセット印刷ユニットは作業員の手が届く範囲の高さごとに複数のステージごとに分割したことにより、上下方向に複数積み重ねた全ての両面印刷型のオフセット印刷ユニットに対する各作業を各ステージ内に入り込んだ作業員が手の届く範囲内にて行うことができる。
【図面の簡単な説明】
【図１】本発明に係るタワー型オフセット輪転機の実施の形態を概略的に示す正面図である。
【図２】図１に示す状態から移動フレームを移動した状態を示す正面図である。
【図３】本発明の実施の形態におけるフレーム構成を示す正面図である。
【図４】移動装置を示す正面図である。
【図５】図４のＡ−Ａ断面矢視図である。
【図６】移動フレームの上部構成を示す正面図である。
【図７】図６のＢ−Ｂ断面図である。
【図８】図６のＣ−Ｃ断面図である。
【図９】結合装置を示す断面図である。
【図１０】図９のＤ矢視図である。
【図１１】図９のＥ矢印方向から見た分解斜視図である。
【符号の説明】
１…タワー型オフセット輪転印刷機、２ａ，２ｂ，２ｃ，２ｄ，２ｅ，２ｆ，２ｇ，２ｈ…両面印刷ユニット、３ａ，３ｂ…ブランケット胴、４ａ，４ｂ…版胴、５…インキ着けローラ、６ａ，６ｂ…インキユニット、７…連続紙、９…基台、１０ａ，１０ｂ…固定フレーム、１１ａ，１１ｂ，１２ａ，１２ｂ…支柱、１３ａ，１３ｂ，１４ａ，１４ｂ…仕切りフレーム、１５ａ，１５ｂ，１６ａ，１６ｂ…移動フレーム、１７ａ，１７ｂ…移動装置、１８ａ，１８ｂ…結合装置、１９…リニアガイド、２０…リニアガイドレール、２１…上下方向ガイドローラ、２２…前後方向ガイドローラ、２３…案内レール、２４…回転軸、２５…ピニオン歯車、２６…ラック、２７…ハンドル軸、２８ａ，２８ｂ…スプロケット、２９…チェン、３０…ハンドル、３１…結合ピン、３２…移動板、３３…フック、３４…エアシリンダ、３５…偏心軸、３５ａ，３５ｂ…偏心ピン部、３６…油圧シリンダ、３７…ストッパ。
【図１】
0004827216.tif 000002
【図２】
0004827216.tif 000003
【図３】
0004827216.tif 000004
【図４】
0004827216.tif 000005
【図５】
0004827216.tif 000006
【図６】
0004827216.tif 000007
【図７】
0004827216.tif 000008
【図８】
0004827216.tif 000009
【図９】
0004827216.tif 000010
【図１０】
0004827216.tif 000011
【図１１】
0004827216.tif 000012